(57)【要約】【課題】通信回線の試験をするにあたり、操作が容易で、確実に、かつ迅速に試験を行うことのできるＵリンク機構を提供すること。【解決手段】アナログ回線の通信装置などに使用されるＵリンクに対して、回線側と機器側の各２端子のプラグと、その間を外部から差込み棒などの挿入・引き抜きにより開閉する開閉手段と、２端子の一方に接続した測定用ソケット手段とを設け、差込み棒を有する測定用プラグの差込み棒の長さの設定によって開閉手段の開閉状態を制御する。【選択図】図１
2008186652.tif 000002
【特許請求の範囲】
【請求項１】
回線側と機器側とを電気的に接続し、挿入された測定プラグに対して回線側または機器側から送られてくる電気信号を伝える通信回線用Ｕリンクであって、
回線側と機器側との電気的接続を入／切する開閉手段を備えたことを特徴とする通信回線用Ｕリンク。
【請求項２】
前記開閉手段は、前記測定プラグの挿入深さによって入状態または切状態になることを特徴とする請求項１記載の通信回線用Ｕリンク。
【請求項３】
前記測定プラグは前記通信回線用Ｕリンクへ挿入するための差込み手段を備え、
前記開閉手段は、前記測定プラグの挿入と共に挿入される差込み手段の挿入深さによって入状態または切状態になることを特徴とする請求項１記載の通信回線用Ｕリンク。
【請求項４】
前記開閉手段は、前記測定プラグが挿入されないとき、又は、前記挿入深さが所定値より浅いときは入状態となり、前記挿入深さが所定値より深いときは切状態となることを特徴とする請求項２または３記載の通信回線用Ｕリンク。
【請求項５】
前記開閉手段は、回転式のスイッチであって、回転角度によって、回線側のみと測定プラグとを接続する状態、機器側のみと測定プラグとを接続する状態、および、回線側と機器側とを接続すると共に測定プラグと接続する状態を切り替えることを特徴とする請求項１記載の通信回線用Ｕリンク。
【請求項６】
請求項３記載の通信回線用Ｕリンクへ挿入するための一対の差込み片を有する測定プラグであって、
前記開閉手段の入／切状態を切り替えるための挿入深さ設定可能な差込み手段を備えたことを特徴とする測定プラグ。
【請求項７】
前記差込み片間に挿入される終端抵抗と、
その抵抗と差込み片との接続、切り離しを前記差込み手段の挿入深さの設定と連動して行う手段と、
を備えたことを特徴とする請求項６記載の測定プラグ。
【請求項８】
請求項３に記載の通信回線用Ｕリンクに請求項６または７に記載のＵリンクプラグを挿入して、前記差込み手段の差込深さを切り替えることによって、回線側と機器側の接続、非接続のそれぞれの状態において通信回線の試験を行うことを特徴とする通信回線試験方法。
【発明の詳細な説明】
【技術分野】
【０００１】
本発明は、アナログ回線を使用の通信機器や通信回線端子盤などに装備され、通信回線の試験や切り離しなどに使用されるＵリンクと、回線レベルなどを測定するためＵリンクに接続される測定ケーブルのプラグに関する。
【背景技術】
【０００２】
従来のアナログ通信回線に接続する直前に装備されるＵリンク機構を図８に示す。このＵリンク機構は、例えば、特許文献１に記載されるように、機器側には、Ｕリンク１００のソケット差込み片２００を受容する回線側の２端子と機器側の２端子を持つ図示されないソケット部が実装される。通常時は、そのソケット部に回線側と機器側の端子間を接続するＵリンク１００のソケット差込み片２００が挿入され、機器と回線間の信号の授受がなされる。この機構により各種の通信回線の試験がなされる。まず、通常状態での回線との送信レベルや受信レベルを測定する場合、Ｕリンク１００が挿入された状態で、通信回線レベル計の入力インピーダンスをＨｉｇｈにして、図示されない測定プラグをＵリンク１００の測定プラグ接続面３００に形成した測定プラグ差込み口４００に挿入して測定する。次に、Ｕリンク１００を機器のソケット部から抜き、送信レベルならソケット部の機器側端子に、受信レベルなら回線側端子に測定プラグを挿入し、前記通信回線レベル計の入力インピーダンスをＬｏｗにして測定する。そして、測定終了後、Ｕリンクを元に状態に挿入して試験を終了する。
【０００３】
なお、符号５００はソケット差込み片２００に接続され、上記測定プラグを受容可能な測定プラグ差込み受け片（測定ソケット片）を示す。
【特許文献１】特開２００６−１７９２９７号公報
【特許文献２】実開平５−６６８８８号公報
【発明の開示】
【発明が解決しようとする課題】
【０００４】
しかしながら、このように送受信レベルを測定する場合、Ｕリンク１００の抜き差しが必須となり、また、多数のＵリンク機構を装備した通信回線端子盤などでは、Ｕリンク１００の実装密度を濃く、Ｕリンク１００を指で抜くことが難しかったり、試験をするＵリンクに位置を誤って、使用中の通信回線の障害を与えたり、誤った回線の通信レベルを測定するミスを生じる問題があった。
【０００５】
本発明は上述のかかる事情に鑑みてなされたものであり、通信回線の試験をするにあたり、操作が容易で、確実に、しかも迅速に試験を行うことのできる通信回線用Ｕリンク、測定プラグおよび通信回線試験方法を提供することを目的とする。
【課題を解決するための手段】
【０００６】
上記目的を達成するため、本発明に係る通信回線用Ｕリンク（以降Ｕリンクと略す。）は、回線側と機器側とを電気的に接続し、挿入された測定プラグに対して回線側または機器側から送られてくる電気信号を伝える通信回線用Ｕリンクであって、回線側と機器側との電気的接続を入／切する開閉手段を備えたことを特徴とする。
【０００７】
本発明では、Ｕリンク自体に回線側と機器側とを電気的に接続、切断状態にする開閉手段を設ける。
【０００８】
本発明に係るＵリンクは、この開閉手段を外部から挿入される測定プラグの挿入の深さによって回線側と機器側の接続状態を切り替えることを特徴とする。この実現方法の一つには、測定プラグが所定以上挿入されると接続状態が切り替わる機構を設ける方法がある。
【０００９】
本発明は、この方法のほか、測定プラグにＵリンクへ挿入するための差込み手段（差込棒）を取り付け、Ｕリンクの開閉手段は、測定プラグの挿入と共に挿入される差込み手段の挿入深さによって入状態または切状態になることを特徴としている。
【００１０】
本発明では、通信機器などに実装されているＵリンク機構での従来の短絡のみの機能のＵリンクをこのＵリンクに差し替えて、外部から差込み棒などで前記開閉手段を動作させることにより回線と機器との分離ができるため、従来のＵリンクをソケットより抜いた状態と同じになる。また、後述する差込み棒を備えた回線レベル計の測定プラグにより、同様に回線と機器との接続・分離ができるため回線レベルなどの測定が容易にできる。
【００１１】
好ましくは、Ｕリンクの開閉手段は、測定プラグが挿入されないとき、又は、挿入プラグないし差込手段の挿入深さが所定値より浅いときは入状態（電気的に接続状態）となり、前記挿入深さが所定値より深いときは切状態（電気的に非接続状態）となるようにするとよい。これにより、測定プラグが不要な運用時は、機器側と回線側が自動的に接続された状態となる。
【００１２】
なお、開閉手段は、回転式のスイッチ機構によって構成することもできる。すなわち、スイッチの回転角度によって、回線側のみと測定プラグとを接続する状態、機器側のみと測定プラグとを接続する状態、および、回線側と機器側とを接続すると共に測定プラグと接続する状態を切り替える。
【００１３】
また、本発明に係わる測定プラグは、上記のＵリンクと組み合わせて使用した場合、Ｕリンクの開閉手段を、この測定プラグのスライドする差込み手段により動作させて、回線と機器との接続・分離ができるようにする。これにより、回線レベルなどの測定を容易に行うことができる。
【００１４】
好ましくは、この差込手段は、開閉手段の接続状態が開または閉の位置で差込深さがそれぞれロック可能に形成するとよい。なお、ロックとは、差込手段の挿入時に設定位置がずれない程度であれば足りる趣旨である。
【００１５】
また、本発明に係わる測定プラグは、さらに電気信号を入力するための２端子（差込み片）間に挿入される終端抵抗をＨｉｇｈ／ＬｏｗのＬｏｗ側の抵抗と、その抵抗の接続・切り離しをＵリンクのスライド操作で連動して行う手段とを備えたことを特徴とする。
【００１６】
本発明では、差込み手段をスライドさせて回線と機器間の接続・切り離しができると同時に、測定プラグで接続された回線レベル計の入力インピーダンスを、回線レベル計をＨＩｇｈの状態にしたまま、このＨｉｇｈ／Ｌｏｗの切替を自動的に行うことができる。
【００１７】
本発明に係わる通信回線試験方法は、上述したＵリンクに測定プラグを挿入して、差込手段の差込深さを切り替えることによって、回線側と機器側の接続、非接続のそれぞれの状態において通信回線の試験（測定も含む）を行うことを特徴とする。
【００１８】
従来のＵリンクを本発明のＵリンクに差し替え、回線レベル計とその間を本発明の測定プラグを使うことにより、容易に通信回線試験ができる。
【発明の効果】
【００１９】
本発明によれば、Ｕリンクの抜き差し操作なしに通信回線の試験を誤りなく、容易に、確実に、しかも迅速に試験を行うことが可能になる。
【発明を実施するための最良の形態】
【００２０】
以下、本発明の実施の形態を説明する。図１は、通信回線用Ｕリンクに係る発明の実施の形態によるＵリンクの構造図である。
【００２１】
図１に示すように、Ｕリンク１は、この種のＵリンクの規格に準拠した図示されない機器側のソケットに差し込む左右を１式で、それを上下に配置された２式の上差込み片１１ａおよび下差込み片１１ｂと、上差込み片１１ａと電気接続されると共に、後で詳述する測定プラグの差込み棒３３を差込む左右１式の測定ソケット片（差込み受け片）１２を基本部とし、さらに上差込み片１１ａと下差込み片１１ｂとを接続・分離する開閉手段２０と、開閉手段２０を動作させるための外部からの差込み棒３３を進退可能に通す測定プラグ接続面１ａに形成した挿入口３３ａから構成される。なお、差込み片１１ａ、１１ｂにおける「上、下」は、説明の便宜のために図に対応して付すものであって、運用において空間的な位置関係を制約するものではない。
【００２２】
開閉手段２０をより具体的に説明すると、開閉手段２０は、上差込み片１１ａと下差込み片１１ｂとの間に設けられ、スイッチのバネになる一対のスイッチ片２１と、一対のスイッチ片２１に対向配置した絶縁体の差込み棒受け２３と、下差込み片１１ｂに設けたスイッチ接点２２と、外部から差込み可能に形成した差込み棒３３などにより構成される。そして、スイッチ片２１の上側は、上差込み片１１ａにスイッチ支点として固定され、スイッチ片２１の下側は、差込み棒３３の抜き差しで差込み棒３３が差込み棒受け２３に進入して押し開くことで、スイッチ接点２２が下差込み片１１ｂから離れ、反対に差込み棒受け２３から後退することで、電気回路が閉成される。
【００２３】
次に図２を用いて上記の構成を有するＵリンク１の作用を説明する。外部からの差込み棒３３が差込み棒受け２３に挿入されない状態のときは、スイッチ片２１にあるスイッチ接点２２は、両方の下差込み片１１ｂと接触状態となり、２式の差込み片１１ａ、１１ｂは、それぞれスイッチ片２１を介して電気的に接続状態になり、測定ソケット片１２を含めてすべての片が接続状態になる（図２（ａ））。一方、差込み棒３３が挿入口３３ａを通して進入し、一対の差込み棒受け２３の間に挿入されると、スイッチ片２１は自体が有するばね反力に抗して強制的に弾性変形する。これにより、スイッチ接点２２は、両方の下差込み片１１ｂから離れ、２式の差込み片１１ａ、１１ｂ間は分離される（図２（ｂ））。これにより、上差込み片１１ａと下差込み片１１ｂとは電気的に非道通の状態となる。そして、測定ソケット片１２は、これに進入してくる測定プラグと係合し、差込み片１１ａのみと接続状態になる。
【００２４】
本実施の形態によれば、開閉手段２０に対する外部から挿入される測定プラグの差込み手段である差込み棒３３の差込み深さを制御するという簡単な操作により、回線側と機器側の接続状態を容易に切り替えることができ、その結果、回線と機器間が接続状態と分離状態での回線レベルなどの測定試験ができる。
【００２５】
次に、測定プラグの発明に係る第１の実施の形態を説明する。図３は、上記Ｕリンク１を使用して回線レベルなどを測定する測定プラグの第１の実施の形態における構造図である。
【００２６】
この図で、測定プラグ３は、Ｕリンク１に内蔵された測定ソケット片１２に差込むことが可能な差込み片３１と、この差込み片３１からの信号を回線レベル計などに渡す測定ケーブル３２を基本に、Ｕリンク１の挿入口３３ａに差込み棒３３を差込んで、抜き差し（進退）することができる差込み棒３３を備えた構造とする。そして、この差込み棒３３は例えば、測定プラグ３に設けた保持部３ａにスライド可能に収容される。また、差込み棒３３には保持部３ａに形成したガイド溝３ｂに沿って案内される突起３ｃが形成される。こうして、差込み棒３３がガイド溝３ｂに対してスライドするスライド機構が形成される。これにより、差込み棒３３がガイド溝３ｂの右端にスライドされたときには、ハイ・インピーダンスの測定位置となり、反対に左端にスライドされることで、ロー・インピーダンスの測定位置にスライド変位するようになっている。
【００２７】
この測定プラグ３をＵリンク１の測定ソケット片１２に差込み、差込み棒３３を手動で深く突き入れたり、抜いたりするスライド操作をすることで、Ｕリンク１の差込み片１１ａ、１１ｂの接続・分離ができる。
【００２８】
このＵリンク１とこの測定プラグ３を組み合わせて機器の回線レベル測定の手順を説明する。ある機器に実装されたＵリンク１の測定ソケット１２に回線レベル計にケーブル３２で接続された測定プラグ３を差込む。測定する機器の送信レベルや受信レベルを通信回線に接続状態で測定する場合、測定プラグ３の差込み棒３３をスライド機構により、Ｕリンク１の開閉手段２０が閉状態になるよう引っ込めた位置にし、回線レベル計の入力インピーダンスをＨｉｇｈにしてレベルを測定する。次に、機器と通信回線を切り離して機器の送信レベルを測定する場合、差込み棒３３をＵリンク１の奥に差込むようスライド機構で操作するとともに、回線レベル計の入力インピーダンスをＬｏｗにして測定する。この動作により回線と機器間が接続状態と分離状態での回線レベルなどの測定試験ができる。
【００２９】
次に、測定プラグの発明に係る第２の実施の形態について説明する。すなわち、図４は、第２の実施の形態における測定プラグの構造図であり、測定プラグ３に加えて、差込み棒３３のスライド機構により開閉するスライドスイッチ４０と抵抗３４を追加構成する。スライドスイッチ４０は、差込み棒３３に装備されるスライド接点片４１と、本体側に常時スライド接点４１と接触している固定接点４２と、差込み棒３３を突き出す方向にスライドさせたときスライド接点４１と接触する固定接点４３で構成される。抵抗３４は、この固定接点４３と差込み片３１の片方に接続され、固定接点４２は、差込み片３１のもう片方に接続される。
【００３０】
上記第２の実施の形態では、Ｕリンク１に挿入し、差込み棒３３が引っ込んだ状態のとき、すなわち、Ｕリンク１内の回線側と機器側の差込み片１１ａ、１１ｂが接続状態のときは、この測定プラグ３内の差込み片３２は、分離状態で、測定ケーブル３２により回線レベル計に接続される。一方、差込み棒３３を突き出すようにスライド操作させ、Ｕリンクの差込み片１１ａと１１ｂは分離状態になり、この測定プラグ３内の差込み片３２間に、スライドスイッチ４０により抵抗３４が接続され、すなわち、入力インピーダンスがＬｏｗに切り替わる。
【００３１】
この機能により、回線レベル計の本体は常に入力インピーダンスをＨｉｇｈにしておき、差込み棒３３をスライドさせることにより、上記機器と回線が接続状態と分離状態時での入力インピーダンスを自動切替でき、回線と機器間が接続状態と分離状態での回線レベルなどの測定試験ができる。
【００３２】
以上、本実施の形態によれば、機器などの回線レベルの測定や回線断などの試験が、測定プラグに装備のスライド機構により容易に行うことができる。また、多数のＵリンク機構が実装されている通信回線盤などでは、従来のＵリンクの形状と異なる本発明のＵリンクを、試験を行う回線のみに実装することにより、試験回線を誤らず試験が可能となる。
【００３３】
以上、本発明を上記の各実施の形態により詳述してきたが、具体的な構成はこれら実施の形態に限られるものでなく、本発明の要旨を逸脱しない範囲の設計変更等があっても本発明の範囲に含まれるものである。
【００３４】
すなわち、上記の通信回線用Ｕリンク１の実施の形態においては、図５に示す第１の変形例のように、測定プラグなどの差込み片を入れることにより動作するスイッチ機構にすることも可能である。すなわち、この第１の変形例において、測定プラグ３側に一対の差込み片（差込み棒）３１を取付ける。他方、Ｕリンク側の各差込み片１１ｃの両側にスイッチ支点２４ａを支点にして弾性変形が可能なスイッチ片２１ａが片持ち梁状で、かつ、対向配置して取付けられる。また、各スイッチ片２１ａの自由端には、導電体の差込み受け片２３ａが対向して設けられ、この一対の差込み受け片２３ａに上記の差込み片３１が割り込むように進退する。さらに、各スイッチ片２１ａの中間部位には、接触片４４を挟むようにしてスイッチ接点２２ａが対向配置される。
【００３５】
この第１の変形例によれば、測定プラグ３の差込み片３１がＵリンク側の差込み受け片２３ａに進入しない場合には、スイッチ接点２２ａは接触片４４を両側から挟むような状態で電気接触するが、測定プラグ３の差込み片３１が矢印Ｆ方向へ差し込まれて差込み受け辺２３ａに進入すると、図５のように、各スイッチ片２１ａが互いに離反する方向に弾性変形し、これにより、各スイッチ接点２２ａが接触片４４から離れ、電気的に非導通な状態となるので、上記実施の形態の場合と略同様の作用効果を有する。
【００３６】
また、第２の変形例を図６に基づいて説明する。図６は第２の変形例の構造を模式的に示したスケルトン図であり、上記各実施の形態や第１の変形例におけるＵリンク１は、測定プラグなどをＵリンク１へ直線的に進退させることにより切替えを行う構造であったが、この第２の変形例では、Ｕリンクに差し込んだ測定プラグ６０をＵリンク１と一体に回転させることにより動作するスイッチ機構で回路の切替えを行うようにしたものである。すなわち、Ｕリンク１は９０度間隔毎に節度感をなしていずれの方向にも回転する回転構造体６１を有し、その回転構造体６１に測定プラグ６０の差込み片６２を受容する二股状で一対の差込み受け片６３が設けられる。この差込み受け片６３は回転接触部６４に接続され、回転構造体６１の回転と一体に回転する。回転構造体６１の外側には、機器側の固定接触部６５が９０度間隔に固定端子として４個、また、回線側の固定接触部６６が１８０度間隔に固定端子として２個配置される。こうして、固定接触部６５は回転構造体６１の回転接触部６４と９０度毎に電気接触し、また、固定接触部６６は回転構造体６１の回転接触部６４と１８０度毎に電気接触するようになっている。
【００３７】
本第２の変形例によれば、図６（ａ）のように、測定プラグ６０などの差込み片６２を回転構造体６１に差込んだ場合（回転角度は０度）には、回転接触部６４を介して固定接触部６５と固定接触部６６とが電気的に接続する。また、この状態から測定プラグ６０を９０度回転させると、回転構造体６１が回転接触部６４と共に一体回転し、図６（ｃ）に示す状態になる。これにより、回転接触部６４は固定接触部６６から離れ、９０度回転した位置に設けられた固定接触部６５にだけ接触する。さらに、この状態から回転接触部６４を９０度回転させるか、元の方向へ９０度回転させて復帰させることにより、固定接触部６６と固定接触部６５とが電気的に接続するようになる。こうして、測定プラグ６０を９０度回転操作するごとに、機器側と回線側とを接続状態にしたり、分離状態にしたりでき、回線レベルなどの測定試験が容易、確実に実施できる利点がある。
【００３８】
次に、第３の変形例を、模式的に示したスケルトン図（図７）に基づいて説明する。この第３の変形例は測定コードの端子を回転させることにより、切替えが可能としたものである。すなわち、この端子は全体が絶縁体で形成された筒状の部品Ａと、部品Ａよりも大径の筒状を有し、部品Ａを収納して相対回転を可能とし、全体を絶縁体で形成された部品Ｂとでなる。換言すると、部品Ａは可動部で、部品Ｂは固定部として形成され、部品Ａは部品Ｂの内部で回転できる。この導体５２は部品Ａの対称な位置に配置され、部品Ａと一体となって動作する可動端子として形成される。また、部品Ａには、Ｕリンク５０の線路側差込み片５３および装置内部側差込み片５４なる導体が挿入されるため、たとえば部品Ｂを部品Ａよりも短い構造にするようにして、Ｕリンク５０の導体部分５３、５４が部品Ｂまで届かないように形成する。また、部品Ｂの外周には３種類の電気スイッチ端子、すなわち、６個の導体が、例えば６０度間隔で固定端子として取付けられる。そして対称な位置に対向配置された導体同士は同じ電気回路を形成する固定端子であり、部品Ａが回転するとき、部品Ａに対向配置された一対の可動端子としての導体５２が回転し、該一対の可動端子としての導体５２の外側が部品Ｂの固定端子としての各導体５５〜５７の内側面に電気接触して通電するようになっている。
【００３９】
この第３の変形例によれば、部品Ａの差込み口５８にＵリンク５０の差込み片５３，５４を差込んで部品Ａを部品Ｂに対して摺動回転させる。そして、可動導体５２が固定導体５５に接触するときは、図７に示されるように、導体の接触位置関係はＸ−Ｘ位置となり、線路側および装置側に同時に接続された状態となる。また、部品Ａが回転されて導体５２が導体５６と接触する場合には、線路側にだけ接続されたＹ−Ｙ位置の状態となる。また、部品Ａが回転されて導体５２が導体５７と接触する位置関係になると、装置側にだけ接続されたＺ−Ｚ位置の電気的接続状態となる。こうして、この第３の変形例は、部品Ａを回転させることで、(1)線路側と装置側、(2)線路側だけ、(3)装置側だけ、という３パターンの切替えが行える。したがって、Ｕリンクの抜き差し操作を行うことなく通信回線の試験を誤作動なく確実、迅速に実行できる。
【産業上の利用可能性】
【００４０】
本発明は、通信回線のあらゆるＵリンク機構に利用することができる。
【図面の簡単な説明】
【００４１】
【図１】通信回線用Ｕリンクの発明に係る実施の形態によるＵリンクの構造図である。
【図２】図１の作用説明図である。
【図３】測定プラグの発明に係る第１の実施の形態によるＵリンクと組み合わせて使用される測定プラグの構造図である。
【図４】上記測定プラグの発明に係る第２の実施の形態における構造図である。
【図５】上記通信回線用Ｕリンクの発明に係る実施の形態の第１の変形例によるスイッチ機構図である。
【図６】上記の各実施の形態における第２の変形例によるスイッチ機構を模式的にスケルトン図で示した図で、図６（ａ）は正面図、図６（ｂ）は図６（ａ）の平面図、図６（ｃ）は図６（ａ）の状態の回転構造体が９０度回転した状態を示す正面図である。
【図７】本発明の第３の変形例を模式的にスケルトン図により示したスイッチ機構で、図７（ａ）は図７（ｃ），（ｄ）を見る方向を示す図、図７（ｂ）は部品Ａの外観正面図、図７（ｃ）は部品Ｂの外観正面図で図７（ａ）におけるＦ方向から導体の位置を透視的に見た図、図７（ｄ）は部品ＢをＧ方向から導体の位置を透視的に見た図である。
【図８】従来のＵリンクの構造図である。
【符号の説明】
【００４２】
１  Ｕリンク
１ａ  測定プラグ接続面
３  測定プラグ
３ａ  保持部
３ｂ  ガイド溝
３ｃ  突起
１１ａ  上差込み片（機器側ソケット差込み片）
１１ｂ  下差込み片（機器側ソケット差込み片）
１１ｃ  差込み片（機器側ソケット差込み片）
１２  測定ソケット片
２０  開閉手段
２１、２１ａ  スイッチ片（開閉手段の構成部品）
２２、２２ａ  スイッチ接点（開閉手段の構成部品）
２３  差込み棒受け（開閉手段の構成部品）
２３ａ  差込み受け片（開閉手段の構成部品）
２４、２４ａ  スイッチ支点（開閉手段の構成部品）
３１  差込み片
３２  測定ケーブル
３３  差込み棒（差込み手段）
３４  抵抗（６００Ω）
４０  スライドスイッチ
４１  スライド接点片（可動接触片）
４２  、４３  固定接点
４４  接触片
５０  Ｕリンク
５１  挟み込み部
５２  可動導体
５２  導体
５３  線路側差込み片
５４  装置内部側差込み片
５５〜５７  導体
５８  差込み口
６０  測定プラグ
６１  回転構造体
６２  差込み片
６３  差込み受け片
６４  回転接触部
６５、６６  固定接触部
【図１】
2008186652.tif 000003
【図２】
2008186652.tif 000004
【図３】
2008186652.tif 000005
【図４】
2008186652.tif 000006
【図５】
2008186652.tif 000007
【図６】
2008186652.tif 000008
【図７】
2008186652.tif 000009
【図８】
2008186652.tif 000010